(57)【要約】【課題】曲線半径の変化に容易に対応可能な移動式型枠支保工を提供すること。【解決手段】橋軸方向に分割された一ユニットの底版型枠３及び側面型枠４を夫々単独で橋軸直角方向にスライド可能に成形し、底版型枠３は該底版型枠３の橋軸方向中心線を直線区間又は曲線区間を備えた橋梁の計画線形中心線と一致するように橋軸直角方向にスライド可能とし、側面型枠４は該側面型枠４の下面のうち橋軸方向中央又は橋軸方向中央近傍に設けた突起４３を、底版型枠３の橋軸方向中央位置又は橋軸方向中央近傍位置であってかつ該底版型枠３の橋軸方向に略並行な外縁部３２に設けた溝３１に回転可能に設置し、上記底版型枠３及び側面型枠４からなる一ユニットを複数備えた移動式型枠支保工を使用する。【選択図】図３
2005113579.tif 000002
【特許請求の範囲】
【請求項１】
橋桁を構築する際に使用する移動式型枠支保工であって、
前記移動式型枠支保工は、橋軸方向に分割された一ユニットの底版型枠及び側面型枠を夫々単独で橋軸直角方向にスライド可能に成形してなり、
前記底版型枠は、該底版型枠の橋軸方向中心線を直線区間又は曲線区間を備えた橋梁の計画線形中心線と一致するように橋軸直角方向にスライド可能とし、
前記側面型枠は、該側面型枠の下面のうち橋軸方向中央又は橋軸方向中央近傍に設けた突起を、前記底版型枠の橋軸方向中央位置又は橋軸方向中央近傍位置であってかつ該底版型枠の橋軸方向に略並行な外縁部に設けた溝に回転可能に設置してなり、
前記底版型枠及び前記側面型枠からなる一ユニットを複数備えて構成したことを特徴とする、
移動式型枠支保工。
【発明の詳細な説明】
【技術分野】
【０００１】
本発明は、橋桁を構築する際に使用する移動式型枠支保工に関するものである。
【背景技術】
【０００２】
プレストレストコンクリート箱桁橋の施工においては、移動式型枠支保工を使用して片押しで場所打ち施工する施工方法がある。かかる施工方法は、橋脚上方に載置した架設装置で１スパンごとにコンクリート打設、脱型、次スパンへの径間移動を繰り返しながら連続桁橋梁を架設するものである。
【０００３】
上記する移動式型枠支保工は、一般にガーダー、手延機、支持台、架構、底版型枠装置、側面型枠、内型枠、底版型枠開閉機構などの構成要素を備えている。
ガーダーは、橋軸方向に延びた鋼製の梁状部材で、移動式型枠支保工の背骨の役割を果たし、型枠、コンクリート等の荷重を支持台に伝達する機能を備えている。
手延機は、径間移動時の支持台の前方への盛替え時に、ガーダーに代わって荷重を支持する役割を果たすガーダーの前方に備えた軽量ガーダーまたはトラスのことである。
支持台は、ガーダーや手延機を下方から支持するもので、移動式型枠支保工の自重やコンクリート荷重などを橋脚や既設上部工に伝達するものであり、さらに次スパンへの移動機構を備えている。
架構は、ガーダーを跨いだ状態に設け、鉛直材や吊材を介して底版型枠や側面型枠を支持する役割を果たす。
底版型枠装置とは、架構から吊下げられた下床版用の型枠および支保工のことであり、通常は橋軸方向に２〜４ｍ程度の長さのユニットに分割されている。
側面型枠は、主桁の側壁（ウエブ）の外側および張出し床版用の型枠と型枠支保工のことである。
内型枠は、主桁の側壁（ウエブ）の内側および上床版用の型枠と型枠支保工のことである。
底版型枠開閉機構とは、移動式型枠支保工が径間移動する場合に移動の障害となる橋脚を回避するために設けられた底版型枠装置を開閉するための機構である。橋脚をかわす際には底版型枠装置を開き、橋脚通過後に再度閉じるように使用される
【０００４】
ところで、曲線線形の橋梁を構築する場合の主桁の設計方法は大別して二つある。その一つは、主桁（またはウエブ）を直線とし、路線の中心線を各橋脚上で折れ曲がる連続折れ線で近似させ、走行路面の幅員は張出し床版の長さで調整する方法である。また、他の方法は、主桁（またはウエブ）を曲線線形とし、張出し床版の長さをほとんど変えない方法である。かかる方法は、橋軸方向に分割した底版型枠を固定させ、各側面型枠を橋軸直角方向に所要量だけ移動させるとともに曲線にあわせて鉛直軸回りに回転させることで折れ線近似させるものである。
【０００５】
特許文献１には、移動式型枠支保工（移動式型枠台車ａ）から吊下げた回転式の底版型枠ｂが開示されている。かかる底版型枠ｂは門型の移動式型枠台車ａの両側に回転部ｃを設け、半割構造の底版型枠ｂを夫々の回転部ｃにて回転可能とし、底版ｄの施工に際して両底版型枠を連結し一体化させて型枠支保工及び型枠を構成するものである（図５参照）。
【特許文献１】特開平１０−２０４８３０号公報
【発明の開示】
【発明が解決しようとする課題】
【０００６】
前記した従来の移動式型枠支保工および移動式型枠支保工を使用した橋梁の施工方法にあっては、次のような問題点がある。
＜１＞主桁（またはウエブ）を曲線線形とし、張出し床版の長さをほとんど変えない方法では、側面型枠を所定位置へ設置するのに長時間を要する。さらに、曲線半径の変化やＳ字型曲線への対応が困難である。
＜２＞側面型枠と底版型枠を密着させるのが困難であり、かかる接合部からコンクリートのモルタル分が漏出し易い。そこで、十分に密着させるためにボルト固定する方法もあるが、ボルト固定の場合は底版型枠に多数のボルト孔を刻設しておく必要があり、仕上がりの外観を損ねるという問題がある。
＜３＞側面型枠の中央を、常に該側面型枠の回転中心として施工するのは困難を要する。したがって回転中心が側面型枠の中央とならない場合も生じてくるため、かかる状態で施工された橋梁は側面（ウエブ）が不ぞろいとなって滑らかな曲線とはならず、外観を損ねるといった問題が生じうる。
【課題を解決するための手段】
【０００７】
上記のような課題を解決するために、本発明の移動式型枠支保工は、橋桁を構築する際に使用する移動式型枠支保工であって、前記移動式型枠支保工は、橋軸方向に分割された一ユニットの底版型枠及び側面型枠を夫々単独で橋軸直角方向にスライド可能に成形してなり、前記底版型枠は、該底版型枠の橋軸方向中心線を直線区間又は曲線区間を備えた橋梁の計画線形中心線と一致するように橋軸直角方向にスライド可能とし、前記側面型枠は、該側面型枠の下面のうち橋軸方向中央又は橋軸方向中央近傍に設けた突起を、前記底版型枠の橋軸方向中央位置又は橋軸方向中央近傍位置であってかつ該底版型枠の橋軸方向に略並行な外縁部に設けた溝に回転可能に設置してなり、前記底版型枠及び前記側面型枠からなる一ユニットを複数備えて構成したことを特徴とする移動式型枠支保工である。ここで、底版型枠の橋軸方向中心線とは、底版型枠の橋軸直角方向幅の中央における橋軸方向に伸びた線のことである。
【発明の効果】
【０００８】
本発明の移動式型枠支保工は、上記した課題を解決するための手段により、次のような効果の少なくとも一つを得ることができる。
＜１＞底版型枠および側面型枠の設置が極めて容易となるため、施工性が向上し、工期の短縮につながる。
＜２＞底版型枠および側面型枠の橋軸直角方向へのスライド機能と側面型枠の底版型枠上での回転機能を備えた構成とすることにより、曲線半径の変化やＳ字型曲線の橋梁にも容易に対応することができる。
＜３＞側面型枠が分割されたユニットごとに、該側面型枠の中央部で回転できるため、設計上の曲線半径に対応した橋梁を施工することができる。したがって優れた外観の橋梁施工が実現可能となる。
＜４＞底版型枠と側面型枠が容易に密着可能となるため、コンクリートのモルタル分の漏出の可能性が極めて低くなる。
【発明を実施するための最良の形態】
【０００９】
＜１＞移動式型枠支保工の全体構成
移動式型枠支保工１は、既に施工された複数の橋脚７，７上に設置した支持架台８，８にガーダー及び手延機５を架設し、橋軸方向から見た正面視門型の架構２を橋軸方向に間隔を置いてガーダー及び手延機５から吊下げて構成する。架構２は水平材２２と左右の鉛直材２１，２１とから構成される。また、複数の架構２，２の一方の鉛直材２１，２１の下端を中心として底版型枠３及び支保工３３を橋軸方向軸まわりで回転可能に取り付けて構成する。
【００１０】
本発明の移動式型枠支保工１は、橋軸方向に分割された一ユニットの底版型枠３及び側面型枠４を夫々単独で橋軸方向にスライド可能に成形し、かかる一ユニットを複数備えて構成したことを特徴としている。かかる構成は、直線区間と曲線区間を備えた橋梁のうち、特に曲線半径の変化や例えばＳ字型曲線の線形を備えた橋梁の施工に対応するために設けたものである。
また、側面型枠４は、底版型枠３上で回転可能に取り付けた構成とする。橋梁の線形の変化に対応した主桁の側壁（ウエブ）の構築を可能とするためである。
【００１１】
移動式型枠支保工１は橋軸方向に並列する水平材２２，２２上に波板等を設置して屋根を設けるとともに、同様に並列する鉛直材２１，２１の外側に板材を設置して壁を設けるのがよい。かかる場合、主ガーダーに吊下げられた状態で移動するいわば移動工場１１を構成することとなり、天候に左右されることなく橋桁１００の施工をおこなうことが可能となる（図１参照）。
【００１２】
また、鉛直材２１はその下端にスライド部材２３を伸縮可能に備えた構成とする。かかる場合、一方のスライド部材２３の先端には底版型枠３および支保工３３を着脱可能に取り付けておき、他方のスライド部材２３の先端には底版型枠３の取り付け部６を備えて構成しておく。取り付け部６には回転機能をもたせておき、底版型枠３（および支保工３３）が取り付け部６を中心として回転できるように成形しておく（図２参照）。
左右のスライド部材２３，２３を伸縮調整することにより橋梁の横断勾配に対応することが可能となる。
【００１３】
移動式型枠支保工１を使用した１サイクルの施工要領（曲線橋を対象とし、後述する底版型枠３及び側面型枠４の据付を重視した手順）はおおよそ以下のようになる。
（１）移動式型枠支保工１の径間移動をおこない、支持架台８、移動工場１１を橋軸方向の所定位置に据え付ける。
（２）底版型枠３のレベル、縦横断勾配を調整する。
（３）側面型枠４の位置、方向を調整する。
（４）底版型枠３と側面型枠４の底部を例えば複数のコッターなどで固定する。ここで、コッターとは例えばテーパーつきの穴に差し込む割ピンのことであり、両型枠構成部材に備えた複数の穴にコッターを差し込むことで簡易かつ確実に両型枠の密着設置を可能とできる。
（５）分割された型枠ユニット間の隙間を塞ぐ隙間閉塞型枠４４を設置する。
（６）下床版や側壁（ウエブ）の鉄筋、ＰＣ鋼材用シース（ＰＣ鋼材を含む場合もある）を配置する。
（７）内型枠を吊りこみながら設置する。
（８）上床版の鉄筋、ＰＣ鋼材用シース（ＰＣ鋼材を含む場合もある）を配置する。
（９）コンクリートを打設する。
（１０）養生をおこなう。
（１１）ＰＣ鋼材をシース内に挿入する。
（１２）ＰＣ鋼材の緊張をおこなう。
（１３）底版型枠３、側面型枠４、隙間閉塞型枠４４の脱型をおこなう。
（１４）コッターの撤去をおこなう。
（１５）底版型枠３及び支保工３３を回転させ、移動式型枠支保工１の移動の障
害となる橋脚や山間斜面を回避しながら移動式型枠支保工１の次径間移動をおこ
なう。
【００１４】
＜２＞底版型枠
複数の架構２，２の一方の鉛直材２１，２１の下端を中心として一つの底版型枠３を橋軸方向軸まわりで回転可能に取り付けて構成する。ここで、底版型枠３の下方に設けた支保工３３も底版型枠３と同時に回転できる（図２参照）。
底版型枠３及び支保工３３は移動工場１１の全長にわたって複数に分割され、各分割ユニットごとに橋軸直角方向にスライド可能な構成とする。ここで、底版型枠３の橋軸方向中心線を直線区間又は曲線区間を備えた橋梁（橋桁１００）の計画線形中心線と一致するように橋軸直角方向にスライドさせる。
底版型枠３及び支保工３３のスライドは各分割ユニットごとに設けた底版型枠用ジャッキ３４を使用してスライド調整することができる（図３参照）。
また、底版型枠３の橋軸方向中央位置（又は橋軸方向中央近傍位置）であって、橋軸方向に並行となる端辺（外縁部３２）に溝３１を設けておく。かかる溝３１は例えばＶ字型の切り込み溝とし、外縁部３２において橋軸直角方向に所定長さを備えて成形できる。溝３１内に後述する側面型枠４の下面に設けた突起４３を落とし込んで設置することにより、突起４３が溝３１内で水平方向にスライド可能で回転可能な構成とできる。それとともに、底版型枠３と側面型枠４の橋軸方向および橋軸直角方向の相対的位置を常に一定に保つことができる。
橋軸方向に所定幅を備えた複数の底版型枠３を橋軸方向に並設させることにより、各底版型枠３ごとに橋梁線形に応じたスライド調整をおこないながら所定延長の底版を構築することが可能となる。
【００１５】
ここで、底版型枠３を架構２の一方の鉛直材２１下端を中心として回転可能とするのは、底版型枠３（及び支保工３３）を回転させながら一方に開くことにより移動式型枠支保工１の次径間移動に際して、移動の障害となり得る橋脚７を回避可能となるからである。さらに、橋桁施工位置が山の斜面であってかつ斜面に近接している場合に、山の斜面と底版型枠３を干渉させずに開閉することが可能となるからである。ここで、上記する一方の鉛直材２１とは、門型の架構２を構成する２つの鉛直材２１，２１のうち、谷側に位置する鉛直材２１である。従来の移動式型枠支保工（移動式型枠台車ａ）では、半割構造の底版型枠ｂが移動式型枠台車ａの両側に開く構造となるものもあるが、この方式では、山側に開いた底版型枠ｂが場合によっては樹木２００と干渉する可能性が生じ得る（図５参照）。この場合、予め樹木２００を伐採等する必要が生じ、施工に伴って周辺環境への影響が懸念された。
【００１６】
本発明のように鉛直材２１の一方のみで底版型枠３が開閉する構成としても、なお上記するように樹木２００との干渉が回避できない場合を考慮して、本発明では、鉛直材２１と底版型枠３の取り付け部６を橋軸直角方向にスライド可能な構造とできる。すなわち、谷側の取り付け部６を橋軸直角方向の谷側へ所定長スライドさせた状態で底版型枠３を谷側へ開くことにより樹木２００等との干渉が回避可能となり得る。
【００１７】
＜３＞側面型枠
側面型枠４は、例えば、ＰＣ箱桁橋構築時に使用する型枠であり、側壁枠４１及び上床版の両側張り出し部の底枠（張り出し底枠４２）から構成される。側壁枠４１及び張り出し底枠４２の板長（橋軸方向長さ）は、橋軸方向の平面線形等に応じて決定される。蛇行が比較的激しい場合は、上記板長を短めに設定する。
側壁枠４１が所定の倒れ角を備え、上床版の張り出し部の底部が所定のテーパー角を備えている場合はかかる倒れ角及びテーパー角を備えて構成した側面型枠４を製作する。
本発明においては、移動式型枠支保工１の橋軸方向に分割された一ユニットの底版型枠３及び側面型枠４を複数ユニット並設した構成とするため、一つの底版型枠３上には橋桁１００を構成する左右の側壁構築用の側面型枠４，４を備えて成形される。
【００１８】
側面型枠４の下面のうち、橋軸方向中央又は橋軸方向中央近傍位置には突起４３を設け、該突起４３は底版型枠３の橋軸方向中央位置又は橋軸方向中央近傍位置であって底版型枠３の橋軸方向に並行（又はほぼ並行）な外縁部３２に備えた溝３１内に突起４３を落とし込み設置しておく（図４参照）。また、側面型枠４を底版型枠３上でスライド及び回転可能とするために、例えば、一つの側面型枠４には突起４３を挟んで２つの側面型枠ジャッキ４５，４５を支持棒４６，４６を介して設置しておくのがよい。２つの側面型枠用ジャッキ４５，４５を同程度ストローク調整することで側面型枠４を水平スライドでき、側面型枠ジャッキ４５，４５を橋梁の線形に応じてストローク量を変えて調整することで水平スライドとともに突起４３を中心に回転可能とできる。
【００１９】
上記する突起４３を溝３１内へ落とし込み設置する際には、突起４３が溝３１の最深部まで入り込むように突起４３及び溝３１を成形するのがよい。
底版型枠３の外縁部３２に溝３１を備えた構成とすることにより、側面型枠４が底版型枠３上で両型枠の相対位置をほぼ一定に保つことができる。
側面型枠４の位置や方向を底版型枠３上で調整した後は、側面型枠４及び底版型枠３の構成部材に備えた複数のピン穴にコッター（割りピン）を差し込んで両型枠を密着固定するのがよい（図示せず）。
【図面の簡単な説明】
【００２０】
【図１】本発明の移動式型枠支保工を示した斜視図。
【図２】底版型枠を回転脱型している状況を説明した図であって図１のＡ−Ａ矢視図。
【図３】底版型枠スライド用ジャッキ及び側面型枠スライド、回転用ジャッキを示した正面図。
【図４】側面型枠を回転させながら側面型枠を設置している状況を説明した斜視図。
【図５】従来の移動式型枠台車を示した正面図。
【符号の説明】
【００２１】
１・・・移動式型枠支保工
３・・・底版型枠
３１・・溝
４・・・側面型枠
４３・・突起
【図１】
2005113579.tif 000003
【図２】
2005113579.tif 000004
【図３】
2005113579.tif 000005
【図４】
2005113579.tif 000006
【図５】
2005113579.tif 000007